(57)【特許請求の範囲】
【請求項１】
お互いに近接及び離隔する方向に往復動することにより、光を通過させる開口部の開閉あるいは絞りを行なう第１羽根体及び第２羽根体と、第１羽根体及び第２羽根体を往復動させるべく駆動する駆動源とを備えたカメラ用シャッタ装置であって、  前記駆動源の回動による駆動量を増幅して、前記第１羽根体及び第２羽根体を往復動させるように連動させる揺動レバーを有し、
前記揺動レバーは、前記第１羽根体の一部に回動自在に連結された第１連結点と、前記第２羽根体の一部に回動自在に連結された第２連結点と、前記第１連結点と第２連結点との中間でかつ前記駆動源の回動中心から偏倚した位置に配置された揺動支点と、前記揺動支点から前記第１連結点又は第２連結点までの距離よりも短い距離の位置に配置されて前記駆動源の駆動力を及ぼす駆動力点とを備えている、
ことを特徴とするカメラ用シャッタ装置。
【請求項２】
前記駆動源は、磁路を形成するヨークと、励磁用のコイルと、前記コイルへの通電により発生した電磁力により所定の角度範囲を回動するロータと、を有する電磁アクチュエータからなり、
前記電磁アクチュエータは、休止位置において、前記第１羽根体及び第２羽根体が前記開口部を閉鎖するように、磁気的に付勢されている、
ことを特徴とする請求項１記載のカメラ用シャッタ装置。
【請求項３】
前記ヨークと前記ロータとの間には、前記ロータの回動量を検出するためのホール素子が配置されている、
ことを特徴とする請求項２記載のカメラ用シャッタ装置。
【請求項４】
前記第１羽根体及び第２羽根体を収容する羽根室を有し、
前記揺動レバーは、薄板状に形成されかつ前記羽根室内に配置されている、
ことを特徴とする請求項１ないし３いずれかに記載のカメラ用シャッタ装置。
【請求項５】
光を通過させるための開口部を通過する光の強度を調整する濃度フィルタと、濃度フィルタによる開口部の覆い量を調整するべく濃度フィルタを往復動させるように駆動する駆動源とを備えたカメラ用濃度フィルタ装置であって、
前記駆動源の回動による駆動量を増幅して、前記濃度フィルタを往復動させるように連動させる揺動レバーを有し、
前記揺動レバーは、前記濃度フィルタを保持する保持体の一部に回動自在に連結された連結点と、前記駆動源の回動中心から偏倚した位置に配置された揺動支点と、前記揺動支点から前記連結点までの距離よりも短い距離の位置に配置されて前記駆動源の駆動力を及ぼす駆動力点とを備えている、
ことを特徴とするカメラ用濃度フィルタ装置。
【請求項６】
前記駆動源は、磁路を形成するヨークと、励磁用のコイルと、前記コイルへの通電により発生した電磁力により所定の角度範囲を回動するロータと、を有する電磁アクチュエータからなる、
ことを特徴とする請求項５記載のカメラ用濃度フィルタ装置。
【請求項７】
前記ヨークと前記ロータとの間には、前記ロータの回動量を検出するためのホール素子が配置されている、
ことを特徴とする請求項６記載のカメラ用濃度フィルタ装置。
【請求項８】
前記濃度フィルタを収容するフィルタ室を有し、
前記揺動レバーは、薄板状に形成されかつ前記フィルタ室内に配置されている、
ことを特徴とする請求項５ないし７いずれかに記載のカメラ用濃度フィルタ装置。
【発明の詳細な説明】
【０００１】
【発明の属する技術分野】
本発明は、動画像等を主に撮影するデジタルムービカメラあるいは静止画像を主に撮影するデジタルスチルカメラ等における絞りを兼用したカメラ用シャッタ装置及び光の強度（光量）を調整する濃度フィルタ（ＮＤフィルタ）を備えたカメラ用濃度フィルタ装置に関する。
【０００２】
【従来の技術】
デジタルムービカメラあるいはデジタルスチルカメラ等に適用される絞り兼用のシャッタ装置としては、一対の羽根がお互いに近接あるいは離隔する方向にスライドして往復動することにより、光を通過させる開口部の開閉あるいは絞りを行なうシャッタ（アイリスシャッタ）装置が知られている。
【０００３】
この種のシャッタ装置としては、例えば図１１に示すようなものが存在する。このシャッタ装置は、光を通過させる開口部１が形成された平面に沿ってスライドするように配置された第１羽根体２及び第２羽根体３と、これら第１羽根体２及び第２羽根体３をお互いに近接及び離隔する方向に連動させる連結リンク４と、第１羽根体２及び第２羽根体３に駆動力を付与する電磁アクチュエータ５等を備えている。
【０００４】
ここで、第１羽根体２及び第２羽根体３は、それぞれ開口部１を絞る際の絞り縁部２ａ，３ａ、一端側から伸長する腕片２ｂ，３ｂ等を有し、この腕片２ｂ，３ｂには、連結用のピン２ｃ，３ｃが植設されている。また、連結リンク４は、支軸４ａを中心に回動自在に配置されており、その両端部に長孔４ｂ，４ｃが設けられており、この長孔４ｂ，４ｃに対して、ピン２ｃ，３ｃがそれぞれ遊挿されている。
さらに、電磁アクチュエータ５は、中心軸５ａ回りに所定の角度範囲を往復して回動するロータ５ｂと、このロータ５ｂに一体的に形成された腕部５ｃ等を有し、この腕部５ｃの自由端側には長孔５ｄが形成されており、この長孔５ｄに対してピン３ｃが遊挿されている。
【０００５】
したがって、電磁アクチュエータ５のロータ５ｂが、図１１において時計回りに所定角度回転させられると、ピン３ｃを介して駆動力が伝達されて、第２羽根体３は右向き（矢印Ｓ１）に移動し、又、連結リンク４を介して駆動力が伝達されて、第１羽根体２は左向き（矢印Ｓ２）に移動し、開口部１を開放することになる。一方、電磁アクチュエータ５のロータ５ｂが逆向きに回転させられることにより、第１羽根体２及び第２羽根体３はそれぞれ逆向きに移動して、図１１に示すように再び開口部１を閉鎖することになる。また、これらの動作の途中でロータ５ｂの回転を止めることにより、開口部１が絞り縁部２ａ，３ａにより所定の大きさの口径に絞られることになる。
【０００６】
また、他のシャッタ装置として、図１１に示す連結リンク４の支軸４ａと同軸に電磁アクチュエータの回動中心を配置し、この支軸４ａをロータに直結あるいは連結リンク４をロータに直結したものが知られている（特開平８−１９２３９号公報）。
【０００７】
【発明が解決しようとする課題】
ところで、上記従来技術に係るシャッタ装置においては、電磁アクチュエータ５の回転による駆動量Ｌ（ロータ５ｂの腕部５ｃの長さ×回転角度）がほぼ第２羽根体３及び第１羽根体２の作動量（ストローク）になるため、この作動量をより大きくするには、回転可能な角度範囲が広い大型の電磁アクチュエータを用いることが必要になり、その結果、装置の大型化を招くという問題があった。
また、電磁アクチュエータの回転中心（回転軸）と連結リンク４の回転中心（支軸４ａ）を同軸とするシャッタ装置においては、上記の問題点に加えて、通電用のコイルを２分割にして配置すること、回転軸方向における高さを高くすることが必要になり、コスト増加、装置の大型化等を招くという問題があった。
【０００８】
本発明は、上記従来技術の問題点に鑑みて成されたものであり、その目的とするところは、回転可能な角度範囲が比較的に狭い小型の駆動源を用いつつも、開口部の開閉あるいは絞りを行なう羽根体の作動量、すなわち、絞り量の変化代等を大きくすることのできるカメラ用シャッタ装置を提供することにある。
また、回転可能な角度範囲が比較的に狭い小型の駆動源を用いつつも、開口部を通過する光の強度（光量）を調整するための濃度フィルタの作動量（覆い量の変化幅）等を大きくすることのできるカメラ用濃度フィルタ装置を提供することにある。
【０００９】
【課題を解決するための手段】
本発明のカメラ用シャッタ装置は、お互いに近接及び離隔する方向に往復動することにより、光を通過させる開口部の開閉あるいは絞りを行なう第１羽根体及び第２羽根体と、第１羽根体及び第２羽根体を往復動させるべく駆動する駆動源とを備えたカメラ用シャッタ装置であって、上記駆動源の回動による駆動量を増幅して、第１羽根体及び第２羽根体を往復動させるように連動させる揺動レバーを有し、この揺動レバーは、第１羽根体の一部に回動自在に連結された第１連結点と、第２羽根体の一部に回動自在に連結された第２連結点と、これら第１連結点と第２連結点との中間でかつ駆動源の回動中心から偏倚した位置に配置された揺動支点と、この揺動支点から第１連結点又は第２連結点までの距離よりも短い距離の位置に配置されて駆動源の駆動力を及ぼす駆動力点とを備えている、ことを特徴としている。
この構成によれば、駆動源が所定の駆動量だけ回動すると、この駆動量が揺動レバーにより所定の大きさに増幅されて第１羽根体及び第２羽根体に伝達される。したがって、駆動源の駆動量が比較的小さくても、第１羽根体及び第２羽根体の作動量（移動量）が大きくなる。これにより、口径の大きい開口部に対して絞り動作を行なう場合にも、回動角度の狭い小型の駆動源を用いることができ、装置の小型化を行いつつ、絞り動作の作動量（ストローク）を増加させることができる。
【００１０】
また、この構成によれば、駆動源の回動による駆動力が駆動力点に加えられると、揺動支点を中心として揺動レバーが所定角度回転する。そして、第１連結点及び第２連結点を介して、第１羽根体及び第２羽根体がそれぞれ逆向きに移動させられることになる。
この際に、揺動レバーの揺動支点は駆動源の回動中心から偏倚した位置にあり、かつ、駆動力点は揺動支点から第１連結点又は第２連結点までの距離よりも短い距離の位置にあるため、揺動レバーの回転角度は駆動源の回転角度よりも大きくなる。すなわち、駆動源の回転角度が増幅されて、揺動レバーはより大きな角度範囲を回転することになり、その分だけ、第１羽根体及び第２羽根体の作動量（移動量）も大きくなる。
【００１１】
上記構成において、駆動源は、磁路を形成するヨークと、励磁用のコイルと、このコイルへの通電により発生した電磁力により所定の角度範囲を回動するロータとを有する電磁アクチュエータからなり、この電磁アクチュエータは、休止位置において、第１羽根体及び第２羽根体が開口部を閉鎖するように磁気的に付勢されている、構成を採用することができる。
この構成によれば、非通電の休止状態においては、磁気的な付勢力が作用して、第１羽根体及び第２羽根体は開口部を閉鎖することになる。
【００１２】
上記構成において、ヨークとロータとの間に、ロータの回動量を検出するためのホール素子が配置された、構成を採用することができる。
この構成によれば、ホール素子をヨークとロータとの間に配置するため、ホール素子により磁束密度の変化が高精度に測定され、これによりロータの回転角度位置が高精度に検出される。また、装置の小型化が行なわれる。
上記構成において、第１羽根体及び第２羽根体を収容する羽根室を有し、揺動レバーが、薄板状に形成されかつ上記羽根室内に配置されている、構成を採用することができる。
この構成によれば、装置全体の薄型化及び小型化が行なわれる。
【００１３】
また、本発明のカメラ用濃度フィルタ装置は、光を通過させるための開口部を通過する光の強度を調整する濃度フィルタと、濃度フィルタによる開口部の覆い量を調整するべく濃度フィルタを往復動させるように駆動する駆動源とを備えたカメラ用濃度フィルタ装置であって、上記駆動源の回動による駆動量を増幅して、濃度フィルタを往復動させるように連動させる揺動レバーを有し、この揺動レバーは、濃度フィルタを保持する保持体の一部に回動自在に連結された連結点と、駆動源の回動中心から偏倚した位置に配置された揺動支点と、この揺動支点から連結点までの距離よりも短い距離の位置に配置されて駆動源の駆動力を及ぼす駆動力点とを備えている、ことを特徴としている。
この構成によれば、駆動源が所定の駆動量だけ回動すると、この駆動量が揺動レバーにより所定の大きさに増幅されて濃度フィルタに伝達される。したがって、駆動源の駆動量が比較的小さくても、濃度フィルタの作動量（移動量）が大きくなる。これにより、口径の大きい開口部に対して覆い量の調整動作を行なう場合にも、回動角度の狭い小型の駆動源を用いることができ、装置の小型化を行いつつ、濃度フィルタによる覆い動作の作動量（ストローク）を増加させることができる。
【００１４】
また、この構成によれば、駆動源の回動による駆動力が駆動力点に加えられると、揺動支点を中心として揺動レバーが所定角度回転する。そして、連結点を介して、濃度フィルタがその保持体と共に移動させられることになる。
この際に、揺動レバーの揺動支点は駆動源の回動中心から偏倚した位置にあり、かつ、駆動力点は揺動支点から連結点までの距離よりも短い距離の位置にあるため、揺動レバーの回転角度は駆動源の回転角度よりも大きくなる。すなわち、駆動源の回転角度が増幅されて、揺動レバーはより大きな角度範囲を回転することになり、その分だけ、開口部に対する濃度フィルタの作動量（移動量）も大きくなる。
【００１５】
上記構成において、駆動源は、磁路を形成するヨークと、励磁用のコイルと、このコイルへの通電により発生した電磁力により所定の角度範囲を回動するロータとを有する電磁アクチュエータからなる、構成を採用することができる。
この構成によれば、電磁アクチュエータの回転の角度範囲が狭くてよいため、電磁アクチュエータそのものを小型化することができる。
【００１６】
上記構成において、ヨークとロータとの間に、ロータの回動量を検出するためのホール素子が配置された、構成を採用することができる。
この構成によれば、ホール素子をヨークとロータとの間に配置するため、ホール素子により磁束密度の変化が高精度に測定され、これによりロータの回転角度位置が高精度に検出される。また、装置の小型化が行なわれる。
上記構成において、濃度フィルタを収容するフィルタ室を有し、揺動レバーが、薄板状に形成されかつ上記フィルタ室内に配置されている、構成を採用することができる。
この構成によれば、装置そのものの薄型化及び小型化が行なわれるのは勿論のこと、シャッタ装置と併用される場合は、全体として積層方向（厚み方向）における薄型化を行なうことができる。
【００１７】
【発明の実施の形態】
以下、本発明の実施の形態について、添付図面を参照しつつ説明する。
図１ないし図５は、本発明に係るカメラ用シャッタ装置及びカメラ用濃度フィルタ装置の一実施形態を示すものであり、図１（ａ），（ｂ），（ｃ）はそれぞれ正面図、側断面図、背面図を示し、図２は正面側から見た内部構造図を示し、図３は図２に示す装置を下側から見た断面図を示し、図４は背面側から見た内部構造図を示し、図５は図４に示す装置を下側から見た断面図を示す。尚、図１（ｂ）においては、説明の便宜上、内部構造を一部（後述する第１羽根体４０及び第２羽根体５０、濃度フィルタ７０等）省略している。
【００１８】
この実施形態に係る装置は、絞り兼用のシャッタ機能（カメラ用シャッタ装置）と光の強度（光量）を可変に調整する濃度フィルタの機能（カメラ用濃度フィルタ装置）を兼ね備えた光量可変型カメラ用シャッタ装置であり、図１に示すように、順次に積層されたシャッタ地板１０，フィルタ地板２０，及びフィルタ押え板３０と、これらシャッタ地板１０とフィルタ地板２０との間に配置された第１羽根体４０及び第２羽根体５０（図３参照）と、シャッタ地板１０の外側に配置されて第１羽根体４０及び第２羽根体５０を駆動する駆動源としての電磁アクチュエータ６０（図１（ｂ）参照）と、電磁アクチュエータ６０の駆動動作を第１羽根体４０及び第２羽根体５０に増幅して連動させる揺動レバー９０と、フィルタ地板２０とフィルタ押え板３０との間に配置された濃度フィルタ７０（図４及び図５参照）と、フィルタ押え板３０の外側に配置されて濃度フィルタ７０を駆動する駆動源としての電磁アクチュエータ８０（図１（ｃ）参照）と、電磁アクチュエータ８０の駆動動作を濃度フィルタ７０に増幅して連動させる揺動レバー１１０等を、その基本構成として備えている。
【００１９】
ここで、シャッタ地板１０，フィルタ地板２０，及びフィルタ押え板３０は、図１に示すように、それぞれ略矩形形状の輪郭をなし、それらの略中央領域には、光を通過させるための円形の開口部１０ａ及び開口部２０ａ、矩形形状の開口部３０ａがそれぞれ形成されている。また、シャッタ地板１０とフィルタ地板２０との間には、図１（ｂ）に示すように、所定の間隔が空けられて、第１羽根体４０及び第２羽根体５０を往復動自在に案内して収容する羽根室Ｗが画定されている。一方、フィルタ地板２０とフィルタ押え板３０との間にも、図１（ｂ）に示すように、所定の間隔が空けられて、濃度フィルタ７０及びこれを保持する保持体としての保持プレート７５を往復動自在に案内して収容するフィルタ室Ｆが画定されている。
【００２０】
第１羽根体４０は、図２に示すように、開口部１０ａ，２０ａの近傍領域に位置付けられて開口部１０ａ，２０ａの絞り機能をなす絞り縁部４１と、この絞り縁部４１に続いて上側に向かって略矩形状に切り欠かれた切り欠き部４２と、両側端部領域において往復動方向に伸長して形成された長孔４３ａ，４３ｂ，４３ｃと、下側領域において往復動方向に略直交する方向に伸長して形成された長孔４４等により、その基本形状が形成されている。そして、この第１羽根体４０は、その長孔４３ａ，４３ｂ，４３ｃにシャッタ地板１０から突出して設けられたガイドピン１１ａ，１１ｂ，１１ｃがそれぞれ遊嵌され、これらガイドピン１１ａ，１１ｂ，１１ｃに案内されて図２中の上下方向に往復動自在となっている。尚、図２は、第１羽根体４０が上方の移動端に移動した状態を示している。
【００２１】
第２羽根体５０は、図２に示すように、開口部１０ａ，２０ａの近傍領域に位置付けられて開口部１０ａ，２０ａの絞り機能をなす絞り縁部５１と、この絞り縁部５１に続いて下側に向かって略矩形状に切り欠かれた切り欠き部５２と、側端部領域において往復動方向に伸長して形成された長孔５３ａ，５３ｂと、下側領域において往復動方向に略直交する方向に伸長して形成された長孔５４等により、その基本形状が形成されている。そして、この第２羽根体５０は、第１羽根体４０よりも装置の内側（後方側）に配置されて、その長孔５３ａ，５３ｂにシャッタ地板１０に設けられたガイドピン１１ａ，１１ｂがそれぞれ遊嵌されており、これらガイドピン１１ａ，１１ｂに案内されて図２中の上下方向に往復動自在となっている。尚、図２は、第２羽根体５０が下方の移動端に移動した状態を示している。
【００２２】
これら第１羽根体４０及び第２羽根体５０が配置された羽根室Ｗの下側領域には、揺動レバー９０が配置されている。
この揺動レバー９０は、樹脂材料等により長尺な薄板状に成形されたものであり、両端部にそれぞれ設けられた第１係合ピン９１及び第２係合ピン９２と、これら第１係合ピン９１及び第２係合ピン９２の中間に形成された円孔９３と、この円孔９３から第１係合ピン９１までの距離よりも短い距離の位置に形成された長孔９４等により、その基本形状が形成されている。
【００２３】
そして、この揺動レバー９０は、図２に示すように、第１羽根体４０及び第２羽根体５０よりも装置の外側（手前側）に配置されて、その第１係合ピン９１が第１羽根体４０の長孔４４に又第２係合ピン９２が第２羽根体５０の長孔５４にそれぞれ遊嵌されており、又、中心に位置する円孔９３にはシャッタ地板１０から突出する支軸１２が嵌挿されており、さらに、長孔９４には後述するロータ６１の腕部６１ｃが遊嵌されている。ここで、支軸１２の中心Ｃ１は、後述するロータ６１の回動中心Ｃ２から所定距離Ｄ１（図３参照）だけ偏倚した位置に配置されている。
【００２４】
すなわち、揺動レバー９０は、支軸１２回りに揺動自在となっており、この揺動レバー９０の回動動作に連動して、第１羽根体４０及び第２羽根体５０が往復動するようになっている。例えば、揺動レバー９０が図２中反時計回りに回転するとき、第１羽根体４０及び第２羽根体５０は、お互いに近接する方向（開口部１０ａ，２０ａを閉鎖する方向）に移動し、一方、揺動レバー９０が図２中時計回りに回転するとき、第１羽根体４０及び第２羽根体５０は、お互いに離隔する方向（開口部１０ａ，２０ａを開放する方向）に移動する。
【００２５】
上記構成においては、第１羽根体４０の一部である長孔４４に回動自在に連結された第１係合ピン９１が第１連結点に相当し、第２羽根体５０の一部である長孔５４に回動自在に連結された第２係合ピン９２が第２連結点に相当し、これら第１係合ピン９１と第２係合ピン９２との中間でかつ駆動源であるロータ６１の回動中心Ｃ２から偏倚した位置に配置された円孔９３（中心Ｃ１を持つ支軸１２）が揺動支点に相当し、この円孔９３（支軸１２）から第１係合ピン９１又は第２係合ピン９２までの距離よりも短い距離の位置に配置された長孔９４の部分が電磁アクチュエータ６０の駆動力を及ぼす駆動力点に相当する。
【００２６】
このように、揺動レバー９０の揺動支点（Ｃ１）は電磁アクチュエータ６０の回動中心Ｃ２から偏倚した位置にあり、かつ、駆動力点（長孔９４）は揺動支点（Ｃ１）から第１連結点（第１係合ピン９１）又は第２連結点（第２係合ピン９２）までの距離よりも短い距離の位置にあるため、揺動レバー９０の回転角度は電磁アクチュエータ６０の回転角度よりも大きくなる。すなわち、電磁アクチュエータ６０の回転角度が増幅されて、揺動レバー９０はより大きな角度範囲を回転することになり、その分だけ、第１羽根体４０及び第２羽根体５０の作動量（移動量）も大きくなる。
また、揺動レバー９０は、樹脂材料等により薄板状に成型されて、第１羽根体４０及び第２羽根体５０が配置された羽根室Ｗ内に配置されているため、特別に専用の収容室を設ける必要もなく、簡略な構造にして装置全体の薄型化及び小型化を行なうことができる。
【００２７】
駆動源としての電磁アクチュエータ６０は、図１（ａ）及び図３に示すように、回動中心Ｃ２回りに所定の角度範囲に亘って回動自在に配置されたロータ６１と、このロータ６１を回動自在に支持する外側支持枠６２及び内側支持枠６３と、通電により電磁力を発生させるための励磁用のコイル６４と、ロータ６１と同心上に配置されて磁路を形成するヨーク６５と、磁束密度の変化を検出するホール素子６６と、磁性部材６７等により構成されている。
【００２８】
ロータ６１は、略円柱形状をなしており、図３に示すように、その軸方向両端部に形成された軸部６１ａ，６１ｂが、それぞれ外側支持枠６２の軸受け孔６２ａ及び内側支持枠６３の軸受け孔６３ａに回動自在に嵌合され、その外周の一部から突出して装置の内部に向かう腕部６１ｃの端部が前述揺動レバー９０の長孔９４に遊嵌されている。また、このロータ６１は、中心軸（回動中心Ｃ２）を通る平面を境としてＮ極とＳ極とに着磁されている。
【００２９】
外側支持枠６２及び内側支持枠６３には、図３に示すように、断面矩形形状の環状溝６２ｂ，６３ｂが形成されており、この環状溝６２ｂ，６３ｂ内においてコイル６４が巻回されている。また、内側支持枠６３は、シャッタ地板１０の外側に形成された連結爪１３及び締結ネジ１００等によりシャッタ地板１０に固着され、外側支持枠６２は、内側支持枠６３に対して連結爪等により固着されるようになっている。
【００３０】
ホール素子６６は、図１（ａ）及び図３に示すように、外側支持枠６２の外側でかつヨーク６５の内側、すなわち、ロータ６１とヨーク６５との間に配置されており、ロータ６１の回転に伴なって磁束密度が変化（磁場が変化）することにより、異なる電圧値を出力するものである。すなわち、ホール素子６６の出力電圧値とロータ６１の回転角度（回動量）さらには第１羽根体４０及び第２羽根体５０の作動位置（作動量）とを予め関係付けておき、得られた出力電圧からロータ６１の回転角度位置（第１羽根体４０及び第２羽根体５０の作動位置あるいは作動量）を検出するものである。
【００３１】
磁性部材６７は、図１（ａ）に示すように、ヨーク６５の内側に連結されてロータ６１の回動中心軸Ｃ２と平行に伸長する円柱状の部材であり、コイル６４に通電しない非通電時すなわち休止状態において、ロータ６１を図１（ａ）中の反時計回りに回転させるように、すなわち、第１羽根体４０及び第２羽根体５０が開口部１０ａを閉鎖した位置に保持されるように、磁気的な反時計回りの回転付勢力を及ぼすものである。
【００３２】
上記構成において、コイル６４に所定方向の電流が流され、この電流値が徐々に増加させられると、発生した電磁力が休止状態で作用する磁気的付勢力に打ち勝った時点で、ロータ６１が図１（ａ）及び図２中時計回りに回転し始め、腕部６１ｃ及び長孔９４を介して、揺動レバー９０が図２中時計回りに回転し始める。これにより、第１羽根体４０は下方に向かって移動し、第２羽根体５０は上方に向かって移動する。そして、最大限移動した時点で、第１羽根体４０及び第２羽根体５０は開口部１０ａ，２０ａを完全に開放する。
【００３３】
一方、コイル６４に流す電流値を徐々に減少させると、ロータ６１は図１（ａ）及び図２中反時計回りに回転し始め、腕部６１ｃ及び長孔９４を介して、揺動レバー９０が図２中反時計回りに回転し始める。これにより、第１羽根体４０は上方に向かって移動し、第２羽根体５０は下方に向かって移動する。そして、最大限移動した時点で、第１羽根体４０及び第２羽根体５０は開口部１０ａ，２０ａを完全に閉鎖し、休止位置に復帰する。また、コイル６４に逆向きの電流を流すと、ロータ６１は図１（ａ）及び図２中反時計回りに迅速に回転して、第１羽根体４０及び第２羽根体５０は、休止位置に迅速に復帰する。尚、上記の動作において、ロータ６１の回転速度及び回転角度量は、コイル６４に流す電流量を制御することにより適宜所望の値に増減させられ、又、ロータ６１の回転角度位置は、ホール素子６６から出力される電圧値により逐次検出される。
さらに、ロータ６１が所定角度回転した位置、すなわち、第１羽根体４０の絞り縁部４１及び第２羽根体５０の絞り縁部５１により略菱形の開口が画定された状態で、ロータ６１の回動が停止するようにコイル６４へ流す電流を制御することで、開口部１０ａ，２０ａを所望の口径に絞るための絞り動作が行なわれる。
【００３４】
上記の構成をなす電磁アクチュエータ６０としては、前述のような揺動レバー９０を採用したことにより、回動による駆動量が例えば約３０°程度の回転角度範囲となる小型の電磁アクチュエータを採用することができるため、駆動量を大きく設定した大型の電磁アクチュエータを用いる場合に比べて、装置全体の小型化を行なうことができる。
以上述べた第１羽根体４０及び第２羽根体５０、電磁アクチュエータ６０、揺動レバー９０等により、開口部１０ａ，２０ａを開閉すると共に所望の口径に絞ることのできる絞り兼用のカメラ用シャッタ装置が構成されている。
【００３５】
カメラ用濃度フィルタ装置の一部をなす濃度フィルタ７０は、ほとんど色の変化を生ずることなく光の強度（光量）を減少させる光学フィルタであり、一般にＮＤ（ｎｅｕｔｒａｌ  ｄｅｎｓｉｔｙ）フィルタとも称される。そして、この濃度フィルタ７０は、図４に示すように、保持プレート７５に貼付されて保持されている。
この保持プレート７５は、図４に示すように、開口部１０ａ，２０ａ，３０ａの近傍領域に位置付けられて上側に向かって略矩形状に切り欠かれた切り欠き部７５ａと、両側端部領域において往復動方向に伸長して形成された長孔７５ｂ，７５ｃと、下側領域において往復動方向に略直交する方向に伸長して形成された長孔７５ｄ等を備えた略Ｕ字形状に形成されている。そして、濃度フィルタ７０は、切り欠き部７５ａの一部の領域を覆うように貼付されている。
【００３６】
また、この保持プレート７５は、その長孔７５ｂ，７５ｃにフィルタ地板２０から突出して設けられたガイドピン２１ａ，２１ｂがそれぞれ遊嵌されており、これらガイドピン２１ａ，２１ｂに案内されて図４中の上下方向に往復動自在となっている。尚、図４は、濃度フィルタ７０が下方の移動端に移動して開口部１０ａ，２０ａを開放した状態を示している。
【００３７】
これら濃度フィルタ７０及び保持プレート７５が配置されたフィルタ室Ｆの下側領域には、揺動レバー１１０が配置されている。
この揺動レバー１１０は、樹脂材料等により長尺な薄板状に形成されており、図４に示すように、その一端部に設けられた係合ピン１１１と、その他端部に形成された長孔１１２と、これら係合ピン１１１及び長孔１１２の中間よりも長孔１１２寄りに形成された円孔１１３等により、その基本形状が形成されている。
【００３８】
そして、この揺動レバー１１０は、図４に示すように、保持プレート７５及び濃度フィルタ７０よりも装置の外側（手前側）に配置されて、その係合ピン１１１が保持プレート７５の長孔７５ｄに遊嵌されており、又、その円孔１１３にはフィルタ地板２０から突出する支軸２２が嵌挿されており、さらに、長孔１１２には後述するロータ８１の腕部８１ｃが遊嵌されている。ここで、支軸２２の中心Ｃ３は、後述するロータ８１の回動中心Ｃ４から所定距離Ｄ２（図５参照）だけ偏倚した位置に配置されている。
【００３９】
すなわち、揺動レバー１１０は、支軸２２回りに揺動自在となっており、この揺動レバー１１０の回動動作に連動して、保持プレート７５すなわち濃度フィルタ７０が往復動するようになっている。例えば、揺動レバー１１０が図４中反時計回りに回転するとき、濃度フィルタ７０が開口部１０ａ，２０ａを開放する方向に保持プレート７５は移動し、一方、揺動レバー１１０が図４中時計回りに回転するとき、濃度フィルタ７０が開口部１０ａ，２０ａを覆う方向に保持プレート７５は移動する。
【００４０】
上記構成においては、濃度フィルタ７０を保持する保持プレート７５の一部である長孔７５ｄに回動自在に連結された係合ピン１１１が連結点に相当し、駆動源であるロータ８１の回動中心Ｃ４から偏倚した位置に配置された円孔１１３（中心Ｃ３を持つ支軸２２）が揺動支点に相当し、この円孔１１３（支軸２２）から係合ピン１１１までの距離よりも短い距離の位置に配置された長孔１１２の部分が電磁アクチュエータ８０の駆動力を及ぼす駆動力点に相当する。
【００４１】
このように、揺動レバー１１０の揺動支点（Ｃ３）は電磁アクチュエータ８０の回動中心Ｃ４から偏倚した位置にあり、かつ、駆動力点（長孔１１２）は揺動支点（Ｃ３）から連結点（係合ピン１１１）までの距離よりも短い距離の位置にあるため、揺動レバー１１０の回転角度は電磁アクチュエータ８０の回転角度よりも大きくなる。すなわち、電磁アクチュエータ８０の回転角度が増幅されて、揺動レバー１１０はより大きな角度範囲を回転することになり、その分だけ、保持プレート７５すなわち濃度フィルタ７０の作動量（移動量）も大きくなる。
【００４２】
また、揺動レバー１１０は、樹脂材料等により薄板状に成型されて、濃度フィルタ７０及び保持プレート７５が配置されたフィルタ室Ｆ内に配置されているため、特別に専用の収容室を設ける必要もなく、簡略な構造にして装置全体の薄型化及び小型化を行なうことができる。
【００４３】
駆動源としての電磁アクチュエータ８０は、図１（ｃ）及び図５に示すように、回動中心Ｃ４回りに所定の角度範囲に亘って回動自在に配置されたロータ８１と、このロータ８１を回動自在に支持する外側支持枠８２及び内側支持枠８３と、通電により電磁力を発生させるための励磁用のコイル８４と、ロータ８１と同心上に配置されて磁路を形成するヨーク８５と、磁束密度の変化を検出するホール素子８６等により構成されている。
【００４４】
ロータ８１は、略円柱形状をなしており、図５に示すように、その軸方向両端部に形成された軸部８１ａ，８１ｂが、それぞれ外側支持枠８２の軸受け孔８２ａ及び内側支持枠８３の軸受け孔８３ａに回動自在に嵌合され、その外周の一部から突出して装置の内部に向かう腕部８１ｃの端部が前述揺動レバー１１０の長孔１１２に遊嵌されている。また、このロータ８１は、中心軸（回動中心Ｃ３）を通る平面を境としてＮ極とＳ極とに着磁されている。
【００４５】
外側支持枠８２及び内側支持枠８３には、図５に示すように、断面矩形形状の環状溝８２ｂ，８３ｂが形成されており、この環状溝８２ｂ，８３ｂ内においてコイル８４が巻回されている。また、内側支持枠８３は、フィルタ押え板３０に固着された連結板１２０の外側に位置する連結爪１２０ａ及び締結ネジ１３０等を介して、フィルタ押え板３０に固着され、外側支持枠８２は、内側支持枠８３に対して連結爪等により固着されるようになっている。
【００４６】
ホール素子８６は、図１（ｃ）及び図５に示すように、外側支持枠８２の外側でかつヨーク８５の内側、すなわち、ロータ８１とヨーク８５との間に配置されており、ロータ８１の回転に伴なって磁束密度が変化（磁場が変化）することにより、異なる電圧値を出力するものである。すなわち、ホール素子８６の出力電圧値とロータ８１の回転角度（回動量）さらには保持プレート７５及び濃度フィルタ７０の作動位置（作動量）とを予め関係付けておき、得られた出力電圧からロータ８１の回転角度位置（濃度フィルタ７０の作動位置あるいは覆い量）を検出するものである。
【００４７】
上記構成において、コイル８４に所定方向の電流が流されると、発生した電磁力により、ロータ８１は図１（ｃ）中時計回りに回転し始め、腕部８１ｃ及び長孔１１２を介して、揺動レバー１１０が図４中時計回りに回転し始める。これにより、保持プレート７５はガイドピン２１ａ，２１ｂに沿って上方に移動し、最大限上方に移動した時点で、濃度フィルタ７０が開口部１０ａ，２０ａを最大限に覆うことになる。
【００４８】
一方、コイル８４に逆向きの電流が流されると、逆向きに発生した電磁力により、ロータ８１は図１（ｃ）中反時計回りに回転し始め、腕部８１ｃ及び長孔１１２を介して、揺動レバー１１０が図４中反時計回りに回転し始める。これにより、保持プレート７５はガイドピン２１ａ，２１ｂに沿って下方に移動し、最大限下方に移動した時点で、濃度フィルタ７０が開口部１０ａ，２０ａを完全に開放することになる。
また、上記動作の途中において、ロータ８１の回動を停止させて所望の回転角度位置に保持することにより、濃度フィルタ７０が開口部１０ａ，２０ａを覆う覆い量を適宜調整することができ、これにより、開口部１０ａ，２０ａを通過する光の強度（光量）を調整することができる。尚、上記電磁アクチュエータ８０の駆動に際しては、前述電磁アクチュエータ６０のような磁性部材６７を持たないため、初期設定の付勢力が働かず、その分だけ比較的小さい電流量でその回動を制御することができる。
【００４９】
また、前述のような揺動レバー１１０を採用したことにより、上述の構成をなす電磁アクチュエータ８０としては、回動による駆動量が例えば約３０°程度の回転角度範囲となる小型の電磁アクチュエータを採用することができるため、駆動量を大きくした大型の電磁アクチュエータを用いる場合に比べて、装置全体の小型化を行なうことができる。
以上述べた濃度フィルタ７０、保持プレート７５、電磁アクチュエータ８０、揺動レバー１１０等により、開口部１０ａ，２０ａを通過する光の強度（光量）を調整するカメラ用濃度フィルタ装置が構成されている。
【００５０】
次に、上記実施形態に係る光量可変型カメラ用シャッタ装置が、デジタルムービカメラ及びデジタルスチルカメラに搭載された場合の動作について、図６ないし図１０を参照しつつ説明する。
本実施形態の装置が搭載されるデジタルムービカメラ及びデジタルスチルカメラにおいては、光の強度（光量）を検出する光検出センサ、種々の制御を司る制御部（ＣＰＵ等）が設けられている。また、ホール素子６６の出力電圧値とロータ６１の回転角度すなわち第１羽根体４０及び第２羽根体５０による開口部１０ａ，２０ａの絞り口径との関係が、制御マップとして予め制御部に記憶されている。さらに、ホール素子８６の出力電圧値とロータ８１の回転角度すなわち濃度フィルタ７０による開口部１０ａ，２０ａの覆い量に応じた光強度（光量）との関係が、制御マップとして予め制御部に記憶されている。
【００５１】
先ず、デジタルムービカメラにおいて、動画像を撮影する場合は、撮影者が動画撮影用のボタンを操作すると、先ず、電磁アクチュエータ６０のコイル６４に対して所定方向にかつ所定量の電流が流されてロータ６１が時計回りに回転することにより、図６（ａ）に示すように、休止状態において開口部１０ａ，２０ａを閉鎖した位置（閉鎖位置）にある第１羽根体４０及び第２羽根体５０が、例えば図７（ａ）に示すように、開口部１０ａ，２０ａを全開した位置（開放位置）に移動させられる。尚、この際に、濃度フィルタ７０は、例えば図６（ｂ）及び図７（ｂ）に示すように、開口部１０ａ，２０ａを開放した位置（開放位置）にある。
【００５２】
続いて、光検出センサにより光の強度（光量）が検出されて、その検出信号が制御部に送られる。そして、この検出信号と制御マップとに基づいて適宜演算がなされる。ここで、光の強度（光量）が強過ぎる（明る過ぎる）場合は、開口部１０ａ，２０ａの口径を絞るような制御信号すなわちコイル６４に流す電流量を減じる制御信号が、制御部から電磁アクチュエータ６０に送られて、第１羽根体４０及び第２羽根体５０はお互いに近接する方向に移動し、例えば図８（ａ）に示すように、最適な絞り口径となったところで停止する。尚、この状態においては、図８（ｂ）に示すように、濃度フィルタ７０は開口部１０ａ，２０ａを開放した非作動の状態にある。
【００５３】
尚、この絞り動作は、光検出センサにより光の強度（光量）をモニターしながら、制御マップ等に基づいて出力される制御信号により常に電磁アクチュエータ６０の駆動量を制御して、絞り量が最適となるように自動的に制御されている。また、この絞り動作は、絞り過ぎによる光の回折現象を防ぐため、所定の口径よりも小さくならないように制御されている。
そして、最適な絞りとなった時点で、撮像素子（ＣＣＤ）により動画像が撮影される。この動画像の撮影は、撮像素子（ＣＣＤ）に蓄積された電荷を放出する動作を繰り返すことにより、連続したコマ撮り撮影を行なうものである。
【００５４】
ところで、上記絞り動作が行なわれても、最適な光の強度（光量）に調整できない場合は、濃度フィルタ７０による調整が行なわれる。すなわち、第１羽根体４０及び第２羽根体５０が、予め所定の作動位置に保持（所定の絞り口径にセット）される。そして、制御部から電磁アクチュエータ８０に向けて制御信号が送られて、ロータ８１が所定角度時計回りに回転し、図９に示すように、濃度フィルタ７０が上方に移動し、絞り縁部４１及び絞り縁部５１により画定された開口部の全ての領域（図９（ａ））をあるいは一部の領域（図９（ｂ））を覆うように制御される。この濃度フィルタ７０による覆い動作は、光検出センサにより光の強度（光量）をモニターしながら、制御マップ等に基づいて出力される制御信号により常に電磁アクチュエータ８０の駆動量を制御して、覆い量が最適となるように自動的に制御されている。
【００５５】
続いて、この動画像を撮影していた図９に示す状態から、静止画像を撮影する場合は、既に最適な絞り口径に調整されているため、撮影者がレリーズ動作を行なうと、撮像素子（ＣＣＤ）に蓄積されていた電荷を一旦放出してリセット（記録された画像を消去）し、露出動作を開始する。ここで、制御部により演算された適正時間（露出時間）が経過すると、制御部から制御信号が出力されて、電磁アクチュエータ８０のコイル８４に逆向きの電流が流され、ロータ８１が反時計回りに迅速に回転して、第１羽根体４０及び第２羽根体５０はそれぞれ近接する方向に移動して、開口部１０ａ，２０ａを閉鎖する。これにより、露出動作が終了し、静止画像が撮影される。
【００５６】
次に、デジタルスチルカメラにおいて、静止画像を撮影する場合は、撮影者がレリーズ動作を行なうと、先ず、電磁アクチュエータ６０のコイル６４に対して所定方向にかつ所定量の電流が流されてロータ６１が時計回りに回転する。そして、図６（ａ）に示すように、休止状態において開口部１０ａ，２０ａを閉鎖した位置（閉鎖位置）にある第１羽根体４０及び第２羽根体５０は、図７（ａ）に示すように、開口部１０ａ，２０ａを全開した位置（開放位置）に移動させられる。そして、所定の時間（露出時間）を経過した後、電磁アクチュエータ６０のコイル６４に対して逆向きでかつ所定量の電流が流されて、ロータ６１が反時計回り（逆回り）に回転することにより、図６（ａ）に示すように、第１羽根体４０及び第２羽根体５０は、再び開口部１０ａ，２０ａを閉鎖した位置（閉鎖位置）に移動する。
これにより、露出動作が終了して、静止画像が撮影される。尚、この静止画像の撮影において、光の強度を調整する必要がない場合は、濃度フィルタ７０は、図６（ｂ）及び図７（ｂ）に示すように、開口部１０ａ，２０ａを開放した位置（開放位置）にある。
【００５７】
一方、光の強度（光量）が強過ぎる（明る過ぎる）場合は、制御部から制御信号が出力されて、電磁アクチュエータ８０のコイル８４に所定方向でかつ所定量の電流がながされる。そして、ロータ８１が時計回りに回転することにより、濃度フィルタ７０が上方に移動させられて、開口部１０ａ，２０ａを適宜覆い（図１０参照）、最適な状態に制御される。
その後、前述と同様に電磁アクチュエータ６０の駆動が制御され、第１羽根体４０及び第２羽根体５０による露光動作が行なわれて、静止画像が撮影される。
【００５８】
続いて、動画像を撮影する場合は、撮影者が動画撮影用のボタンを操作すると、先ず、電磁アクチュエータ６０のコイル６４に対して所定方向にかつ所定量の電流が流されてロータ６１が時計回りに回転することにより、図６（ａ）に示すように、休止状態において開口部１０ａ，２０ａを閉鎖した位置（閉鎖位置）にある第１羽根体４０及び第２羽根体５０が、図７（ａ）に示すように、開口部１０ａ，２０ａを全開した位置（開放位置）に移動させられる。
【００５９】
そして、光検出センサに検出された光の強度（光量）に関する検出信号と制御マップとに基づいて所定の演算がなされ、光の強度（光量）が強すぎる場合は、開口部１０ａ，２０ａの口径を絞るような制御信号すなわちコイル６４に流す電流量を減じる制御信号が、制御部から電磁アクチュエータ６０に送られて、第１羽根体４０及び第２羽根体５０はお互いに近接する方向に移動し、例えば図８（ａ）に示すように、最適な絞り口径となったところで停止する。さらに、上記絞り動作が行なわれても、最適な光の強度（光量）に調整できない場合は、前述同様に、図９に示すような濃度フィルタ７０による調整が行なわれる。
そして、最適な絞り及び光強度（光量）となった時点で、撮像素子（ＣＣＤ）に蓄積された電荷を放出する動作を繰り返すことにより、連続したコマ撮り撮影を行なって、動画像が撮影される。
【００６０】
以上述べたように、本発明の装置を適用することにより、動画像を主として撮影するデジタルムービカメラにおいても、静止画像を撮影することができ、又、静止画像を主として撮影するデジタルスチルカメラにおいても、動画像を撮影することができる。
【００６１】
上記実施形態においては、絞り及びシャッタ機能をなすカメラ用シャッタ装置と、光の強度（光量）を調整するカメラ用濃度フィルタ装置とを兼ね備えた光量可変型カメラ用シャッタ装置について示したが、本発明に係るカメラ用シャッタ装置だけを種々のカメラに適用することができ、又、本発明に係るカメラ用濃度フィルタ装置を他のシャッタ装置と共に種々のカメラに適用することができる。
【００６２】
また、上記実施形態においては、カメラ用シャッタ装置の揺動レバー９０として、第１連結点（第１係合ピン９１）と第２連結点（第２係合ピン９２）とを結ぶ直線上の中間に、揺動支点（支軸１２及び円孔９３）を配置したものを採用したが、この揺動支点は第１連結点と第２連結点とを結ぶ直線から外れた位置に偏倚した構成であってもよく、又、揺動支点と第１連結点とを結ぶ直線上に駆動力点（長孔９４及び腕部６１ｃ）を配置したものを採用したが、この駆動力点は、揺動支点から第１連結点又は第２連結点までの距離よりも短い距離の位置であれば、揺動支点と第１連結点とを結ぶ直線あるいは揺動支点と第２連結点とを結ぶ直線から外れた位置に偏倚した構成であってもよい。
【００６３】
【発明の効果】
以上述べたように、本発明のカメラ用シャッタ装置によれば、光を通過させる開口部の開閉あるいは絞りを行なう第１羽根体及び第２羽根体を往復動させるべく駆動する駆動源の回動による駆動量を増幅して、第１羽根体及び第２羽根体を往復動させるように連動させる揺動レバーを設けたことにより、駆動源の駆動量が増幅されて第１羽根体及び第２羽根体に伝達されるため、駆動源の駆動量が比較的小さくても、第１羽根体及び第２羽根体の作動量（移動量）を大きくすることができる。
したがって、口径の大きい開口部に対して絞り動作を行なう場合にも、回動角度の狭い小型の駆動源を用いることができ、装置の小型化を行いつつ、絞り動作の作動量（ストローク）を増加させることができる。
【００６４】
また、薄板状の揺動レバーとし、この揺動レバーを第１羽根体及び第２羽根体が収容される羽根室に配置することにより、装置の薄型化及び全体としての装置の小型化を行なうことができる。さらに、駆動源として、ヨーク、コイル、ロータ等から成る電磁アクチュエータを採用し、又、ヨークとロータとの間にホール素子を設けたことにより、ロータの回転角度位置すなわち絞り口径を高精度に制御することができ、又、装置の小型化を行なうことができる。
【００６５】
また、本発明のカメラ用濃度フィルタ装置によれば、光を通過させるための開口部に対して、光の強度を調整する濃度フィルタを往復動させるように駆動する駆動源の回動による駆動量を増幅して、濃度フィルタを往復動させるように連動させる揺動レバーを設けたことにより、駆動源の駆動量が増幅されて濃度フィルタに伝達されるため、駆動源の駆動量が比較的小さくても、濃度フィルタの作動量（移動量）を大きくすることができる。
したがって、口径の大きい開口部に対して覆い量の調整動作を行なう場合にも、回動角度の狭い小型の駆動源を用いることができ、装置の小型化を行いつつ、濃度フィルタによる調整代を増加させることができる。
【００６６】
また、薄板状の揺動レバーとし、この揺動レバーを濃度フィルタが収容されるフィルタ室に配置することにより、装置の薄型化及び全体としての装置の小型化を行なうことができる。さらに、駆動源として、ヨーク、コイル、ロータ等から成る電磁アクチュエータを採用し、又、ヨークとロータとの間にホール素子を設けたことにより、ロータの回転角度位置すなわち濃度フィルタの覆い量を高精度に制御することができ、又、装置の小型化を行なうことができる。
【図面の簡単な説明】
【図１】本発明に係るカメラ用シャッタ装置及び濃度フィルタ装置の一実施形態を示す概略図で、（ａ）は正面図、（ｂ）は側断面図、（ｃ）は背面図である。
【図２】カメラ用シャッタ装置の概略構成図である。
【図３】図２に示すカメラ用シャッタ装置を下側から見た断面図である。
【図４】カメラ用濃度フィルタ装置の概略構成図である。
【図５】図４に示すカメラ用濃度フィルタ装置を下側から見た断面図である。
【図６】カメラ用シャッタ装置及び濃度フィルタ装置の動作を説明する図で、（ａ）は開口部が閉鎖された状態、（ｂ）は濃度フィルタが非作動の状態を示す図である。
【図７】カメラ用シャッタ装置及び濃度フィルタ装置の動作を説明する図で、（ａ）は開口部が全開された状態、（ｂ）は濃度フィルタが非作動の状態を示す図である。
【図８】カメラ用シャッタ装置及び濃度フィルタ装置の動作を説明する図で、（ａ）は開口部が所定の口径に絞られた状態、（ｂ）は濃度フィルタが非作動の状態を示す図である。
【図９】カメラ用シャッタ装置及び濃度フィルタ装置の動作を説明する図で、（ａ）は開口部が所定の口径に絞られかつ濃度フィルタが大きく作動した状態、（ｂ）は開口部が所定の口径に絞られかつ濃度フィルタが僅かに作動した状態を示す図である。
【図１０】カメラ用シャッタ装置及び濃度フィルタ装置の動作を説明する図で、（ａ）は濃度フィルタが大きく作動した状態でかつ開口部が閉鎖された状態、（ｂ）は濃度フィルタが僅かに作動した状態でかつ開口部が閉鎖された状態を示す図である。
【図１１】従来のカメラ用シャッタ装置を示す図である。
【符号の説明】
１０ａ，２０ａ  開口部
１２，２２  支軸（揺動支点）
４０  第１羽根体
４１  絞り縁部
５０  第２羽根体
５１  絞り縁部
６０  電磁アクチュエータ（駆動源）
６１  ロータ、    ６１ｃ  腕部（駆動力点）
６４  コイル
６５  ヨーク
６６  ホール素子
６７  磁性部材
７０  濃度フィルタ（ＮＤフィルタ）
７５  保持プレート（保持体）
８０  電磁アクチュエータ（駆動源）
８１  ロータ、    ８１ｃ  腕部（駆動力点）
８４  コイル
８５  ヨーク
８６  ホール素子
９０  揺動レバー（増幅連動手段）
９１  第１係合ピン（第１連結点）
９２  第２係合ピン（第２連結点）
９３  円孔（揺動支点）
９４  長孔（駆動力点）
１１０  揺動レバー（増幅連動手段）
１１１  係合ピン（連結点）
１１２  長孔（駆動力点）
１１３  円孔（揺動支点）
【図１】
0004481421.tif 000002
【図２】
0004481421.tif 000003
【図３】
0004481421.tif 000004
【図４】
0004481421.tif 000005
【図５】
0004481421.tif 000006
【図６】
0004481421.tif 000007
【図７】
0004481421.tif 000008
【図８】
0004481421.tif 000009
【図９】
0004481421.tif 000010
【図１０】
0004481421.tif 000011
【図１１】
0004481421.tif 000012